(57)【要約】【課題】１つのスライドスイッチにより、タッチパネルおよびコンテンツ再生に関する操作ボタンのホールド状態を選択的に切り換えることができ、ユーザビリティを高めることが可能とする。【解決手段】ディスプレイの表示面に対する押圧を検知することによりユーザから所定の指示を受け付けるタッチパネルと、ユーザからコンテンツの再生に関する所定の指示を受け付けるコンテンツ制御ボタンと、ユーザから前記タッチパネルおよび前記コンテンツ制御ボタンの機能を有効または無効にするホールド状態の切替に関する指示を受け付けるホールド状態切替スイッチと、ユーザによる前記ホールド状態切替スイッチの操作に応じて、前記タッチパネルおよび前記コンテンツ制御ボタンのホールド状態を切り替えるホールド状態切替制御部と、を備える携帯情報端末が提供される。【選択図】図５
2010108010.tif 000002
【特許請求の範囲】
【請求項１】
ディスプレイの表示面に対する押圧を検知することによりユーザから所定の指示を受け付けるタッチパネルと、
ユーザからコンテンツの再生に関する所定の指示を受け付けるコンテンツ制御ボタンと、
ユーザから前記タッチパネルおよび前記コンテンツ制御ボタンの機能を有効または無効にするホールド状態の切替に関する指示を受け付けるホールド状態切替スイッチと、
ユーザによる前記ホールド状態切替スイッチの操作に応じて、前記タッチパネルおよび前記コンテンツ制御ボタンのホールド状態を切り替えるホールド状態切替制御部と、
を備える携帯情報端末。
【請求項２】
前記ホールド状態切替制御部は、ユーザによる前記ホールド状態切替スイッチの操作に応じて、前記タッチパネルおよび前記コンテンツ制御ボタンのホールド状態を、前記タッチパネルおよび前記コンテンツ制御ボタンの機能を有効にするホールド解除状態、前記タッチパネルの機能のみを無効にするタッチパネルホールド状態、または前記タッチパネルおよび前記コンテンツ制御ボタンの機能をともに無効にするホールド有効状態に切り替える、請求項１に記載の携帯情報端末。
【請求項３】
前記ホールド状態切替スイッチは、少なくとも前記ホールド有効状態に対応する第１切替位置と、前記タッチパネルホールド状態または前記ホールド解除状態に対応する第２切替位置と、に摺動可能なスライド式スイッチであり、ユーザにより前記第２切替位置を基点に前記第１切替位置とは逆方向に摺動された場合、前記第２切替位置に自動で復元されるように構成され、
前記ホールド状態切替制御部は、ユーザにより前記ホールド状態切替スイッチが前記第１切替位置に摺動された場合、前記ホールド状態を前記ホールド有効状態に切り替え、
前記ホールド状態切替スイッチが前記第１切替位置から前記第２切替位置に摺動された場合、前記ホールド状態を前記ホールド解除状態に切り替え、
前記ホールド状態切替スイッチが前記第２切替位置に位置する場合において、ユーザにより前記ホールド状態切替スイッチが前記第２切替位置を基点に前記第１切替位置とは逆方向に摺動された後に前記第２切替位置に自動で復元される毎に、前記ホールド状態を前記ホールド解除状態と前記タッチパネルホールド状態とに交互で切り替える、請求項２に記載の携帯情報端末。
【請求項４】
ユーザからあらかじめ設定された所定の画面の前記ディスプレイへの表示指示を受け付けるタッチパネル表示ボタンをさらに備え、
前記ホールド状態切替制御部は、前記タッチパネルホールド状態において、前記タッチパネル表示ボタンを介してユーザから前記表示指示を受け付けた場合、前記ホールド状態を前記タッチパネルホールド状態から前記ホールド解除状態へ切り替える、請求項３に記載の携帯情報端末。
【請求項５】
前記タッチパネルホールド状態において前記携帯情報端末の電源がオフされた場合、前記ホールド状態切替制御部は、ユーザによる前記携帯情報端末の電源投入指示に応じて、前記ホールド状態を前記タッチパネルホールド状態から前記ホールド解除状態へ切り替える、請求項４に記載の携帯情報端末。
【請求項６】
前記ホールド状態切替スイッチは、少なくとも前記ホールド解除状態に対応する第１切替位置と、前記タッチパネルホールド状態に対応する第２切替位置と、前記ホールド有効状態に対応する第３切替位置と、に摺動可能なスライド式スイッチであり、
前記ホールド状態切替制御部は、ユーザにより前記ホールド状態切替スイッチが前記第１切替位置に摺動された場合、前記ホールド状態を前記ホールド解除状態に切り替え、
前記ホールド状態切替スイッチが前記第２切替位置に摺動された場合、前記ホールド状態を前記タッチパネルホールド状態に切り替え、
前記ホールド状態切替スイッチが前記第３切替位置に摺動された場合、前記ホールド状態を前記ホールド有効状態に切り替える、請求項２に記載の携帯情報端末。
【請求項７】
前記ディスプレイに、前記ホールド状態の現在の状態を示す画像を表示させるタッチパネル表示制御部をさらに備え、
該タッチパネル表示制御部は、前記ホールド状態に応じてそれぞれ異なる画像を前記ディスプレイに表示させる、請求項１〜６に記載の携帯情報端末。
【請求項８】
前記タッチパネル表示制御部は、前記ホールド状態の現在の状態を示す画像を前記ディスプレイの所定の位置からスライドさせて、前記ディスプレイに表示されていた画像に重ねて表示させる、請求項７に記載の携帯情報端末。
【請求項９】
前記タッチパネル表示制御部は、前記ホールド状態の現在の状態を示す画像を前記ディスプレイの所定の位置から前記ホールド状態切替スイッチの摺動方向と同じ方向にスライドさせて、前記ディスプレイに表示されていた画像に重ねて表示させる、請求項７に記載の携帯情報端末。
【請求項１０】
前記タッチパネル表示制御部は、前記ディスプレイに表示中のコンテンツの内容に基づいて、前記ホールド状態の現在の状態を示す画像を前記ディスプレイに表示されていた画像に重ねて表示させるか否かを判断する、請求項９に記載の携帯情報端末。
【請求項１１】
前記タッチパネル表示制御部は、前記ディスプレイにおいて動画コンテンツまたは静止画コンテンツが再生中である場合、前記ホールド状態の現在の状態を示す画像を前記ディスプレイに表示されていた画像に重ねて表示させないと判断する、請求項１０に記載の携帯情報端末。
【請求項１２】
ディスプレイの表示面に対する押圧を検知することによりユーザから所定の指示を受け付けるタッチパネル、およびユーザからコンテンツの再生に関する所定の指示を受け付けるコンテンツ制御ボタンの機能を有効または無効にするホールド状態の切替に関する指示を、ホールド状態切替スイッチを介してユーザから受け付けるホールド状態切替指示受付ステップと、
前記ホールド状態切替指示受付ステップにより受け付けたユーザからの指示に応じて、前記タッチパネルおよび前記コンテンツ制御ボタンのホールド状態を切り替えるホールド状態切替ステップと、
を含むホールド状態切替方法。
【請求項１３】
ディスプレイの表示面に対する押圧を検知することによりユーザから所定の指示を受け付けるタッチパネル、およびユーザからコンテンツの再生に関する所定の指示を受け付けるコンテンツ制御ボタンの機能を有効または無効にするホールド状態の切替に関する指示を、ホールド状態切替スイッチを介してユーザから受け付けるホールド状態切替指示受付処理と、
前記ホールド状態切替指示受付処理により受け付けたユーザからの指示に応じて、前記タッチパネルおよび前記コンテンツ制御ボタンのホールド状態を切り替えるホールド状態切替処理と、
をコンピュータに実行させるホールド状態切替プログラム。
【発明の詳細な説明】
【技術分野】
【０００１】
本発明は、携帯情報端末、ホールド状態切替方法およびホールド状態切替プログラムに関する。
【背景技術】
【０００２】
近年、ハードディスク等の記憶媒体に音楽データを保存し、この音楽データをＣＰＵ（Ｃｅｎｔｒａｌ  Ｐｒｏｃｅｓｓｉｎｇ  Ｕｎｉｔｓ）で処理して音楽を再生する携帯型音楽プレーヤが広く利用されている。また、この種の携帯型音楽プレーヤには、音楽再生のみならず、例えば、動画再生、静止画再生、撮影機能、通信機能などの多様な機能が付加されることが多い。
【０００３】
このような多機能化に伴い、携帯型音楽プレーヤには、各種の操作ボタンをＧＵＩ（Ｇｒａｐｈｉｃａｌ  Ｕｓｅｒ  Ｉｎｔｅｒｆａｃｅ）ボタンとしてディスプレイに表示させて、ユーザからの操作を受け付けるタッチパネル機能が備えられることも多い。しかし、タッチパネル機能は、ディスプレイへの押圧によりユーザからの操作入力を認識するため、例えば、音楽再生中にユーザが意識せずにディスプレイに表示されている停止ボタンに触れてしまい、音楽再生が停止するといった誤動作が発生するおそれがあった。このような誤動作を防止するために、従来の携帯型音楽プレーヤには、例えば特許文献１に示すように、機器本体にホールドスイッチが設けられ、ホールドスイッチのオン／オフによりタッチパネル機能の有効／無効を切り替えるホールド機能が備えられている。
【０００４】
【特許文献１】特開２００２−２６８７７６号公報
【発明の開示】
【発明が解決しようとする課題】
【０００５】
しかし、ホールドスイッチによりタッチパネル機能を無効にした場合、ユーザからの操作を一切受け付けることができず、音楽再生に関してユーザビリティが悪いという問題があった。具体的には、ユーザが携帯型音楽プレーヤをカバンやポケットに入れて音楽を聞きながら、例えば、曲送り、一時停止、音量調整などのように音楽再生に関する操作を希望する場合にユーザは煩雑な操作が必要となる。すなわち、ユーザは、ポケットなどから携帯型音楽プレーヤを取り出し、ホールドスイッチによりタッチパネル機能を有効にし、タッチパネルに表示されているＧＵＩボタンに触れなければ、音楽再生に関する操作を携帯型音楽プレーヤに指示することができない。
【０００６】
このような問題点を解消するために、携帯型音楽プレーヤに、タッチパネルに加えて、音楽再生に関する機械的な操作ボタンをさらに備えさせることも考えられる。これにより、ユーザは、携帯型音楽プレーヤをポケットなどに入れた状態においても、音楽再生に関する操作ボタンをポケットの上からブラインドタッチで操作することにより、音楽再生に関する操作を携帯型音楽プレーヤに指示することができる。この結果、ユーザは、ポケットなどから携帯型音楽プレーヤを取り出し、ホールドスイッチによりタッチパネル機能を有効にし、タッチパネルに表示されているＧＵＩボタンに触れるといった煩雑な操作をする必要がなくなる。
【０００７】
しかしながら、ユーザは、音楽を視聴していないときになどには、誤動作による電力消費などを防止するために、タッチパネルのみならず音楽再生に関する操作ボタンの機能も無効にすることを希望する。したがって、携帯型音楽プレーヤは、タッチパネルおよび音楽再生に関する操作ボタンの両方に対するホールド機能を、ユーザによる使用状況に応じて切り替えることができなければならない。
【０００８】
しかし、従来のホールドスイッチではタッチパネルのホールド状態のみしか切り換えることができないため、音楽再生に関する操作ボタンのホールド状態をタッチパネルのホールド状態に連動して切り換えるしかない。すなわち、１つのホールドスイッチにより、タッチパネルおよび音楽再生に関する操作ボタンのホールド状態を選択的に切り換えることができないという問題が生じてしまう。ここで、携帯型音楽プレーヤに、タッチパネルのホールド状態を切り換えるスイッチ、および音楽再生に関する操作ボタンのホールド状態を切り換えるスイッチを備えさせた場合、機器本体に備えられる機械的な操作ボタンが増加してしまうという問題が生じる。
【０００９】
そこで、本発明は、上記問題に鑑みてなされたものであり、本発明の目的とするところは、１つのスライドスイッチにより、タッチパネルおよびコンテンツ再生に関する操作ボタンのホールド状態を選択的に切り換えることができ、ユーザビリティを高めることが可能な新規かつ改良された携帯情報端末、ホールド状態切替方法およびホールド状態切替プログラムを提供することにある。
【課題を解決するための手段】
【００１０】
上記課題を解決するために、本発明のある観点によれば、ディスプレイの表示面に対する押圧を検知することによりユーザから所定の指示を受け付けるタッチパネルと、ユーザからコンテンツの再生に関する所定の指示を受け付けるコンテンツ制御ボタンと、ユーザから前記タッチパネルおよび前記コンテンツ制御ボタンの機能を有効または無効にするホールド状態の切替に関する指示を受け付けるホールド状態切替スイッチと、ユーザによる前記ホールド状態切替スイッチの操作に応じて、前記タッチパネルおよび前記コンテンツ制御ボタンのホールド状態を切り替えるホールド状態切替制御部と、を備える携帯情報端末が提供される。
【００１１】
係る構成により、携帯情報端末のタッチパネルは、ディスプレイの表示面に対する押圧により、ユーザからの所定の指示に関する情報を受け付けることができる。また、コンテンツ制御ボタンは、ユーザからのコンテンツの再生に関する所定の指示を受け付けることができる。また、ホールド状態切替スイッチは、ユーザからタッチパネルおよびコンテンツ制御ボタンの機能を有効または無効にするホールド状態の切替に関する指示を受け付けることができる。さらに、ホールド状態切替制御部は、ユーザによるホールド制御ボタンの操作に応じて、前記タッチパネルおよび前記コンテンツ制御ボタンのホールド状態を切り替えることができる。
【００１２】
また、前記ホールド状態切替制御部は、ユーザによる前記ホールド状態切替スイッチの操作に応じて、前記タッチパネルおよび前記コンテンツ制御ボタンのホールド状態を、前記タッチパネルおよび前記コンテンツ制御ボタンの機能を有効にするホールド解除状態、前記タッチパネルの機能のみを無効にするタッチパネルホールド状態、または前記タッチパネルおよび前記コンテンツ制御ボタンの機能をともに無効にするホールド有効状態に切り替えることもできる。
【００１３】
また、前記ホールド状態切替スイッチは、少なくとも前記ホールド有効状態に対応する第１切替位置と、前記タッチパネルホールド状態または前記ホールド解除状態に対応する第２切替位置と、に摺動可能なスライド式スイッチであり、ユーザにより前記第２切替位置を基点に前記第１切替位置とは逆方向に摺動された場合、前記第２切替位置に自動で復元されるように構成されてもよい。この場合、前記ホールド状態切替制御部は、ユーザにより前記ホールド状態切替スイッチが前記第１切替位置に摺動された場合、前記ホールド状態を前記ホールド有効状態に切り替え、前記ホールド状態切替スイッチが前記第１切替位置から前記第２切替位置に摺動された場合、前記ホールド状態を前記ホールド解除状態に切り替え、前記ホールド状態切替スイッチが前記第２切替位置に位置する場合において、ユーザにより前記ホールド状態切替スイッチが前記第２切替位置を基点に前記第１切替位置とは逆方向に摺動された後に前記第２切替位置に自動で復元される毎に、前記ホールド状態を前記ホールド解除状態と前記タッチパネルホールド状態とに交互で切り替えることもできる。
【００１４】
また、ユーザからあらかじめ設定された所定の画面の前記ディスプレイへの表示指示を受け付けるタッチパネル表示ボタンをさらに備えてもよい。この場合、前記ホールド状態切替制御部は、前記タッチパネルホールド状態において、前記タッチパネル表示ボタンを介してユーザから前記表示指示を受け付けた場合、前記ホールド状態を前記タッチパネルホールド状態から前記ホールド解除状態へ切り替えることもできる。
【００１５】
また、前記タッチパネルホールド状態において前記携帯情報端末の電源がオフされた場合、前記ホールド状態切替制御部は、ユーザによる前記携帯情報端末の電源投入指示に応じて、前記ホールド状態を前記タッチパネルホールド状態から前記ホールド解除状態へ切り替えることもできる。
【００１６】
また、前記ホールド状態切替スイッチは、少なくとも前記ホールド解除状態に対応する第１切替位置と、前記タッチパネルホールド状態に対応する第２切替位置と、前記ホールド有効状態に対応する第３切替位置と、に摺動可能なスライド式スイッチであってもよい。この場合、前記ホールド状態切替制御部は、ユーザにより前記ホールド状態切替スイッチが前記第１切替位置に摺動された場合、前記ホールド状態を前記ホールド解除状態に切り替え、前記ホールド状態切替スイッチが前記第２切替位置に摺動された場合、前記ホールド状態を前記タッチパネルホールド状態に切り替え、前記ホールド状態切替スイッチが前記第３切替位置に摺動された場合、前記ホールド状態を前記ホールド有効状態に切り替えることもできる。
【００１７】
また、前記ディスプレイに、前記ホールド状態の現在の状態を示す画像を表示させるタッチパネル表示制御部をさらに備えてもよい。この場合、該タッチパネル表示制御部は、前記ホールド状態に応じてそれぞれ異なる画像を前記ディスプレイに表示させることもできる。
【００１８】
また、前記タッチパネル表示制御部は、前記ホールド状態の現在の状態を示す画像を前記ディスプレイの所定の位置からスライドさせて、前記ディスプレイに表示されていた画像に重ねて表示させることもできる。
【００１９】
また、前記タッチパネル表示制御部は、前記ホールド状態の現在の状態を示す画像を前記ディスプレイの所定の位置から前記ホールド状態切替スイッチの摺動方向と同じ方向にスライドさせて、前記ディスプレイに表示されていた画像に重ねて表示させることもできる。
【００２０】
また、前記タッチパネル表示制御部は、前記ディスプレイに表示中のコンテンツの内容に基づいて、前記ホールド状態の現在の状態を示す画像を前記ディスプレイに表示されていた画像に重ねて表示させるか否かを判断することもできる。
【００２１】
また、前記タッチパネル表示制御部は、前記ディスプレイにおいて動画コンテンツまたは静止画コンテンツが再生中である場合、前記ホールド状態の現在の状態を示す画像を前記ディスプレイに表示されていた画像に重ねて表示させないと判断することもできる。
【００２２】
また、上記課題を解決するために、本発明の別の観点によれば、ディスプレイの表示面に対する押圧を検知することによりユーザから所定の指示を受け付けるタッチパネル、およびユーザからコンテンツの再生に関する所定の指示を受け付けるコンテンツ制御ボタンの機能を有効または無効にするホールド状態の切替に関する指示を、ホールド状態切替スイッチを介してユーザから受け付けるホールド状態切替指示受付ステップと、前記ホールド状態切替指示受付ステップにより受け付けたユーザからの指示に応じて、前記タッチパネルおよび前記コンテンツ制御ボタンのホールド状態を切り替えるホールド状態切替ステップと、を含むホールド状態切替方法が提供される。
【００２３】
また、上記課題を解決するために、本発明の別の観点によれば、ディスプレイの表示面に対する押圧を検知することによりユーザから所定の指示を受け付けるタッチパネル、およびユーザからコンテンツの再生に関する所定の指示を受け付けるコンテンツ制御ボタンの機能を有効または無効にするホールド状態の切替に関する指示を、ホールド状態切替スイッチを介してユーザから受け付けるホールド状態切替指示受付処理と、前記ホールド状態切替指示受付処理により受け付けたユーザからの指示に応じて、前記タッチパネルおよび前記コンテンツ制御ボタンのホールド状態を切り替えるホールド状態切替処理と、をコンピュータに実行させるホールド状態切替プログラムが提供される。
【発明の効果】
【００２４】
以上説明したように本発明によれば、１つのスライドスイッチにより、タッチパネルおよびコンテンツ再生に関する操作ボタンのホールド状態を選択的に切り換えることができ、ユーザビリティを高めることが可能である。
【発明を実施するための最良の形態】
【００２５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。また、説明は以下の順序で行うものとする。
１．本発明の実施形態の概要
２．実施形態の１つに係る携帯型音楽プレーヤ１００の外観
３．携帯型音楽プレーヤ１００の機能構成
４．ホールド状態の概念
５．携帯型音楽プレーヤ１００におけるホールド機能の切替処理
６．変形例
６−１．変形例１（ホールド状態切替スイッチの変形例）
６−２．変形例２（タッチパネル表示ボタンによるホールド状態自動切替の変形例）
６−３．変形例３（電源再起動時におけるホールド状態自動切替の変形例）
６−３．変形例４（ホールド状態の表示の変形例）
７．携帯型音楽プレーヤ１００のハードウェア構成
８．まとめ
【００２６】
（１．本発明の実施形態の概要）
本発明の実施形態の１つに係る携帯情報端末の詳細を説明するにあたり、まず本実施形態の概要について従来技術と比較しながら説明する。なお、以下の説明においては携帯情報端末の一例として携帯型音楽プレーヤを例に説明するが、携帯情報端末は、例えば、携帯電話、ＰＤＡ、携帯型ゲーム機、デジタルカメラ、デジタルビデオカメラなどであってもよい。このように、本発明の実施形態に係る携帯情報端末は、タッチパネル機能と、所定のコンテンツを再生可能な機能を備えるものであれば、その他いかなる機能を追加的に備えるものであってもよい。
【００２７】
上述したように、多機能化した近年の携帯型音楽プレーヤには、各種の操作ボタンをＧＵＩボタンとしてディスプレイに表示させてユーザからの操作を受け付けるタッチパネル機能が備えられることが多い。このような携帯型音楽プレーヤには通常、機器本体にホールドスイッチが設けられ、ホールドスイッチのオン／オフによりタッチパネル機能の有効／無効を切り替えるホールド機能が備えられている。
【００２８】
しかし、ホールドスイッチによりタッチパネル機能を無効にした場合、ユーザからの操作を一切受け付けることができず、音楽再生に関してユーザビリティが悪いという問題があった。具体的には、ユーザが携帯型音楽プレーヤをカバンやポケットに入れて音楽を聞きながら、例えば、曲送り、一時停止、音量調整などのように音楽再生に関する操作を希望する場合にユーザは煩雑な操作が必要となる。すなわち、ユーザは、ポケットなどから携帯型音楽プレーヤを取り出し、ホールドスイッチによりタッチパネル機能を有効にし、タッチパネルに表示されているＧＵＩボタンに触れなければ、音楽再生に関する操作を携帯型音楽プレーヤに指示することができない。
【００２９】
このような問題点を解消するために、携帯型音楽プレーヤには、タッチパネルに加えて、音楽再生に関する機械的な操作ボタンがさらに備えられることもある。このような携帯型音楽プレーヤによれば、ユーザは、携帯型音楽プレーヤをポケットなどに入れた状態においても、音楽再生に関する操作ボタンをポケットの上からブラインドタッチで操作することができる。これにより、ユーザは、携帯型音楽プレーヤをポケットなどに入れた状態においても、音楽再生に関する操作を携帯型音楽プレーヤに指示することができる。この結果、ユーザは、ポケットなどから携帯型音楽プレーヤを取り出し、ホールドスイッチによりタッチパネル機能を有効にし、タッチパネルに表示されているＧＵＩボタンに触れるといった煩雑な操作をする必要がなくなる。
【００３０】
しかしながら、ユーザは、音楽を聞いていないときになどには、誤動作による電力消費などを防止するために、タッチパネルのみならず音楽再生に関する操作ボタンの機能も無効にすることを希望する。また、ユーザは、タッチパネルにより所定の操作をする際には、タッチパネルおよび音楽再生に関する操作ボタンのいずれの機能も有効にすることを希望する。このような使用状況を考慮すると、携帯型音楽プレーヤは、タッチパネルのホールド状態と、音楽再生に関する操作ボタンのホールド状態と、を使用状況に応じて選択的に切り換えることが可能な機能を備える必要がある。
【００３１】
しかしながら、従来のホールドスイッチではタッチパネルのホールド状態のみしか切り換えることができないため、音楽再生に関する操作ボタンのホールド状態をタッチパネルのホールド状態に連動して切り換えるしかない。この結果、ユーザは、タッチパネルの機能のみを無効にして、音楽再生に関する操作ボタンの機能は有効にするといった選択的なホールド状態の切り換えができず、ユーザビリティに優れていないという問題が生じてしまう。ここで、携帯型音楽プレーヤに、タッチパネルのホールド状態を切り換えるスイッチと、音楽再生に関する操作ボタンのホールド状態を切り換えるスイッチと、をそれぞれ備えさせることも考えられる。しかしながら、機器本体に備えられる機械的な操作ボタンが増加してしまうという問題が生じてしまう。
【００３２】
本発明の実施形態に係る携帯型音楽プレーヤは、このような問題点を解決することができる。すなわち、本発明の実施形態に係る携帯型音楽プレーヤは、１つのスライドスイッチにより、タッチパネルおよびコンテンツ再生に関する操作ボタンのホールド状態を選択的に切り換えることができ、ユーザビリティを高めることが可能である。
【００３３】
具体的には、本発明の実施形態に係る携帯型音楽プレーヤは、タッチパネルのホールド状態と、音楽再生に関する操作ボタンのホールド状態と、を選択的に切り換えることができる１つのホールドスイッチを備えている。これにより、ユーザは、１つのホールドスイッチを操作するだけで、例えば、携帯型音楽プレーヤに備えられる３つのホールド状態を選択的に切り換えることができる。１つ目のホールド状態としては、タッチパネルおよび音楽再生に関する操作ボタンの機能をすべて無効にするホールド有効状態が挙げられる。また、２つ目のホールド状態としては、タッチパネルの機能のみを無効にし、音楽再生に関する操作ボタンの機能を有効にするタッチパネルホールド状態が挙げられる。また、３つ目のホールド状態としては、タッチパネルおよび音楽再生に関する操作ボタンの機能をすべて有効にするホールド解除状態が挙げられる。
【００３４】
本実施形態に係る携帯型音楽プレーヤに備えられるホールドスイッチは、上記３つのホールド状態に対応する固定ポジションを有するスライド型スイッチにより構成される。これにより、ユーザは、ホールドスイッチを、各ホールド状態に対応するポジションにスライドさせることにより所望のホールド状態を任意に選択することができる。
【００３５】
また、ホールドスイッチを、スプリング機構などを設けることにより摺動後に自動的に所定の固定ポジションに戻るような構造とすることもできる。これにより、ユーザは、ホールドスイッチを一方向へ一時的に摺動させることにより、複数のホールド機能を順次切り換えることができる。この場合、携帯型音楽プレーヤは、ホールドスイッチのポジションを固定したまま、内部回路構成などによりユーザによる一時摺動操作を検出してホールド状態を切り換えることができる。したがって、携帯型音楽プレーヤは、ユーザによるスライドスイッチの操作時以外、例えば、所定の処理実行時や電源の再起動時などにおいても、自動でホールド状態を切り換えることもできる。
【００３６】
このように、本実施形態に係る携帯型音楽プレーヤは、１つのスライドスイッチにより、タッチパネルおよびコンテンツ再生に関する操作ボタンのホールド状態を選択的に切り換えることができ、ユーザビリティを高めることを可能とすることを特徴とする。以下、このような特徴を有する本発明の実施形態に係る携帯型音楽プレーヤの詳細について説明する。
【００３７】
（２．実施形態の１つに係る携帯型音楽プレーヤ１００の外観）
まず、本実施形態に係る携帯型音楽プレーヤ１００の外観構成について説明する。図１は、本実施形態に係る携帯型音楽プレーヤ１００の外観正面図の一例を示す説明図である。また、図２は、本実施形態に係る携帯型音楽プレーヤ１００の外観上面図の一例を示す説明図である。また、図３は、本実施形態に係る携帯型音楽プレーヤ１００の外観側面図の一例を示す説明図である。
【００３８】
図１に示すように、本実施形態に係る携帯型音楽プレーヤ１００は主に、タッチパネル１０２と、コンテンツ制御ボタン１０４と、タッチパネル表示ボタン１０６と、ホールド状態切替スイッチ１０８と、を備えている。
【００３９】
タッチパネル１０２は、例えば、再生中の音楽に関する情報、静止画、動画などの他、携帯型音楽プレーヤ１００が有する所定の機能に対応するＧＵＩ（Ｇｒａｐｈｉｃａｌ  Ｕｓｅｒ  Ｉｎｔｅｒｆａｃｅ）ボタンを表示させることができる。携帯型音楽プレーヤ１００は、ユーザによるタッチパネル１０２への押圧を検出することにより、表示されているＧＵＩボタンが選択されたことを認識し、ユーザにより選択されたＧＵＩボタンに対応する所定の処理を実行することができる。
【００４０】
タッチパネル１０２は、例えば、画像やＧＵＩボタンなどを表示するＬＣＤ（Ｌｉｑｕｉｄ  Ｃｒｙｓｔａｌ  Ｄｉｓｐｌａｙ）表示装置、該ＬＣＤ表示装置のバックライト、ユーザによる押圧を検出する検出装置などによって構成される。なお、タッチパネル１０２は、所定の機能に対応するＧＵＩボタンを表示し、ユーザが当該ＧＵＩボタンを押したことを検出することができるものであれば特定の表示装置や、押圧の検出方法に限定されるものではない。
【００４１】
次に、コンテンツ制御ボタン１０４は、携帯型音楽プレーヤ１００が再生可能なコンテンツの再生に関するユーザからの指示を受け付けるための操作ボタンである。携帯型音楽プレーヤ１００が再生可能なコンテンツとしては、例えば、音楽ファイル、動画ファイル、静止画ファイルなどが挙げられる。コンテンツ制御ボタン１０４は、図２に示す例のように、例えば、再生ボタン／一時停止ボタン、曲送りボタン、局戻りボタンなどを含んで構成される。
【００４２】
ユーザは、コンテンツ制御ボタン１０４を操作することにより、コンテンツの再生、一時停止、曲送り、局戻りなどのように、コンテンツの再生に関する所望する処理を携帯型音楽プレーヤ１００に指示することができる。携帯型音楽プレーヤ１００は、コンテンツ制御ボタン１０４を介したユーザからの指示に応じて、コンテンツ再生に関する所定の処理を実行することができる。このように、本実施形態に係る携帯型音楽プレーヤ１００には、このコンテンツ制御ボタン１０４がタッチパネル１０２とは別個独立に備えられている。したがって、ユーザは、ポケットなどに携帯型音楽プレーヤ１００を入れている場合においても、コンテンツ制御ボタン１０４をブラインドタッチで操作することにより、コンテンツ再生に関する所定の指示を携帯型音楽プレーヤ１００に指示することができる。また、詳細は後述するが、ユーザは、タッチパネル１０２およびコンテンツ制御ボタン１０４のホールド状態を任意に切り換えることができる。
【００４３】
次に、タッチパネル表示ボタン１０６は、あらかじめ設定された所定の画面のタッチパネル１０２への表示に関するユーザからの指示を受け付けるための操作ボタンである。タッチパネル１０２に表示されるあらかじめ設定された画面としては、例えば、コンテンツ再生、コンテンツ情報編集、再生モード変更、音質変更、初期設定などのように、携帯型音楽プレーヤ１００が備える各種機能を表示するメニュー画面などが想定される。
【００４４】
ユーザは、タッチパネル表示ボタン１０６を押すことにより、タッチパネルへのメニュー画面の表示を携帯型音楽プレーヤ１００に指示することができる。携帯型音楽プレーヤ１００は、タッチパネル表示ボタン１０６を介したユーザからの指示に応じて、タッチパネル１０２にメニュー画面を表示させることができる。これにより、ユーザは、タッチパネル１０２に表示されたメニュー画面に含まれる各ＧＵＩボタンを選択することにより、希望する処理を携帯型音楽プレーヤ１００に指示することができる。
【００４５】
次に、ホールド状態切替スイッチ１０８は、タッチパネル１０２およびコンテンツ制御ボタン１０４のホールド状態の切替に関するユーザからの指示を受け付けるためのスライドスイッチである。上述したように、本実施形態に係る携帯型音楽プレーヤ１００は、ホールド解除状態、タッチパネルホールド状態およびホールド有効状態の３つのホールド状態を有している。したがって、ホールド状態切替スイッチ１０８は、図３に示す例のように、３つのホールド状態に対応するポジションに摺動可能に構成される。
【００４６】
ユーザは、ホールド状態切替スイッチ１０８を希望するホールド状態に対応する位置に摺動させることにより、携帯型音楽プレーヤ１００にホールド状態の切替を指示することができる。携帯型音楽プレーヤ１００は、ホールド状態切替スイッチ１０８のポジションの検出結果に応じて、ホールド状態を切り換えることができる。なお、ホールド状態切替スイッチ１０８によるホールド状態の切替処理の詳細については、後述する処理フロー等で説明する。
【００４７】
以上、本実施形態に係る携帯型音楽プレーヤ１００の外観構成について説明した。なお、図１〜３に示した外観図は、携帯型音楽プレーヤ１００の外観構成の一例であり、本発明はこれらに限定されるものではない。例えば、図１に示したタッチパネル１０２や各ボタンの位置や、コンテンツ制御ボタン１０４の種類などは、図１〜３に示した例に限定されるものではない。例えば、コンテンツ制御ボタン１０４は、図２に示した例の他に、停止ボタン、コマ送りボタン、音量調整ボタンなどを含んでもよい。また、ホールド状態切替スイッチ１０８は、図３に示した例のように、必ずしも携帯型音楽プレーヤ１００の側面に備えられる必要はなく、例えば、図４に示すように、携帯型音楽プレーヤ１００の背面に備えられてもよい。
【００４８】
（３．携帯型音楽プレーヤ１００の機能構成）
次に、タッチパネル１０２と、コンテンツ制御ボタン１０４と、タッチパネル表示ボタン１０６と、ホールド状態切替スイッチ１０８と、を備える上記携帯型音楽プレーヤ１００の機能構成について説明する。図５は、本実施形態に係る携帯型音楽プレーヤ１００の機能構成の一例を示すブロック図である。
【００４９】
図５に示すように、携帯型音楽プレーヤ１００は主に、タッチパネル操作指示入力部１２０と、コンテンツ制御指示入力部１２２と、タッチパネル表示指示入力部１２４と、ホールド状態切替指示入力部１２６と、ホールド状態切替制御部１２８と、処理実行部１３０と、タッチパネル表示制御部１３２と、を含んで構成される。
【００５０】
携帯型音楽プレーヤ１００を構成するこれらの各機能部は、ＣＰＵ（Ｃｅｎｔｒａｌ  Ｐｒｏｃｅｓｓｉｎｇ  Ｕｎｉｔｓ）によって制御されることにより各種機能を実行する。また、図５に示した携帯型音楽プレーヤ１００の機能構成は、本実施形態を説明する上での一例であり、本発明はこれらに限定されるものではない。すなわち、携帯型音楽プレーヤ１００は、図５に示した機能構成以外にも、例えば、撮影機能、通信機能、画像編集機能、音声入出力機能、外部入出力機能などのように、通常の情報処理端末に備えられる各種機能をさらに備えることも当然に可能である。なお、以下の説明においては、本実施形態の特徴である、タッチパネル１０２およびコンテンツ制御ボタン１０４のホールド状態の切換処理を中心に、図５に示した各機能構成部の詳細について説明する。
【００５１】
（タッチパネル操作指示入力部１２０）
タッチパネル操作指示入力部１２０は、ユーザによるタッチパネル１０２の操作に応じて、所定の処理の実行を指示する信号を処理実行部１３０へ伝送する。上述したように、タッチパネル１０２は、携帯型音楽プレーヤ１００が備える所定の機能に対応するＧＵＩボタンをディスプレイに表示させることができる。また、タッチパネル１０２は、ユーザが当該ＧＵＩボタンに触れた場合、ユーザによる押圧を検出することができる。このようにして検出されたユーザ操作に関する情報を含む信号は、タッチパネル１０２からタッチパネル操作指示入力部１２０へ伝送される。タッチパネル操作指示入力部１２０は、タッチパネル１０２により伝送された信号に基づいて、ユーザが、タッチパネル１０２に表示されるいずれのＧＵＩボタンを選択したかを判断し、ユーザにより選択されたＧＵＩボタンに対応する処理の実行を指示する信号を処理実行部１３０へ伝送する。これを受けて、処理実行部１３０は、タッチパネル１０２に表示されたＧＵＩボタンのうち、ユーザにより選択されたＧＵＩボタンに対応する機能の処理を実行することができる。
【００５２】
（コンテンツ制御指示入力部１２２）
コンテンツ制御指示入力部１２２は、ユーザによるコンテンツ制御ボタン１０４の操作に応じて、コンテンツの再生に関する所定の処理の実行を指示する信号を処理実行部１３０へ伝送する。上述したように、ユーザは、コンテンツ制御ボタン１０４を操作することにより、コンテンツの再生に関する各種処理を携帯型音楽プレーヤ１００に指示することができる。したがって、コンテンツ制御指示入力部１２２は、ユーザによってコンテンツ制御ボタン１０４が押されたと判断した場合、ユーザにより押されたコンテンツ制御ボタン１０４に対応する処理の実行を指示する信号を処理実行部１３０へ伝送する。これを受けて、処理実行部１３０は、ユーザにより操作されたコンテンツ制御ボタン１０４に対応するコンテンツ再生に関する機能の処理を実行することができる。
【００５３】
なお、コンテンツ制御ボタン１０４がユーザによって押されたか否かは、例えば、接点方式や検出センサなどによって検出することができるが、ユーザによるボタン操作を検出することが可能であれば、特定の検出方法に限定されるものではない。
【００５４】
（タッチパネル表示指示入力部１２４）
タッチパネル表示指示入力部１２４は、ユーザによるタッチパネル表示ボタン１０６の操作に応じて、あらかじめ設定された所定の画面のタッチパネル１０２への表示処理の実行を指示する信号を処理実行部１３０へ伝送する。上述したように、ユーザは、タッチパネル表示ボタン１０６を押すことにより、例えば、メニュー画面などのようにあらかじめ設定された画面のタッチパネル１０２への表示を携帯型音楽プレーヤ１００に指示することができる。したがって、タッチパネル表示指示入力部１２４は、ユーザによってタッチパネル表示ボタン１０６が押されたと判断した場合、メニュー画面などのタッチパネル１０２への表示を指示する信号を処理実行部１３０へ伝送する。これを受けて、処理実行部１３０は、後述するタッチパネル表示制御部１３２を介して、あらかじめ設定されたメニュー画面などをタッチパネル１０２に表示させることができる。
【００５５】
（ホールド状態切替指示入力部１２６）
ホールド状態切替指示入力部１２６は、ユーザによるホールド状態切替スイッチ１０８の摺動操作を検出し、検出結果を後述するホールド状態切替制御部１２８へ伝送する。上述したように、ホールド状態切替スイッチ１０８は、ホールド解除状態、タッチパネルホールド状態およびホールド有効状態の３つのホールド状態に対応する固定ポジションに摺動可能に構成されている。これにより、ユーザは、ホールド状態切替スイッチ１０８を摺動操作することにより、上記３つのホールド状態を任意に切り換えることができる。したがって、ホールド状態切替指示入力部１２６は、ホールド状態切替スイッチ１０８のポジションを定期的に検出し、ホールド状態切替スイッチ１０８のポジションが変更された場合、変更後のポジションに関する情報をホールド状態切替制御部１２８へ伝送する。
【００５６】
（ホールド状態切替制御部１２８）
ホールド状態切替制御部１２８は、ホールド状態切替指示入力部１２６から伝送された信号に基づいて、携帯型音楽プレーヤ１００のホールド状態の切替を指示する信号を処理実行部１３０へ伝送する。上述したように、ホールド状態切替スイッチ１０８のポジションが変更されると、ホールド状態切替制御部１２８は、変更されたホールド状態切替スイッチ１０８のポジションに関する情報をホールド状態切替指示入力部１２６から受信する。これを受けて、ホールド状態切替制御部１２８は、変更されたホールド状態切替スイッチ１０８のポジションに対応するホールド状態への切替を指示する信号を処理実行部１３０へ伝送する。
【００５７】
例えば、ホールド状態切替スイッチ１０８がホールド解除状態に対応するポジションに変更された場合、ホールド状態切替制御部１２８は、ホールド解除状態への変更を指示する信号を処理実行部１３０へ伝送する。また、ホールド状態切替スイッチ１０８がタッチパネルホールド状態に対応するポジションに変更された場合、ホールド状態切替制御部１２８は、タッチパネルホールド状態への変更を指示する信号を処理実行部１３０へ伝送する。さらに、ホールド状態切替スイッチ１０８がホールド有効状態に対応するポジションに変更された場合、ホールド状態切替制御部１２８は、ホールド有効状態への変更を指示する信号を処理実行部１３０へ伝送する。
【００５８】
（処理実行部１３０）
処理実行部１３０は、上述した各指示入力部１２０、１２２、１２４から伝送される信号に基づいて、携帯型音楽プレーヤ１００が備える各種機能を実行する。例えば、処理実行部１３０は、タッチパネル操作指示入力部１２０から伝送された信号に基づいて、ユーザがタッチパネル１０２で選択したＧＵＩボタンに対応する機能を実行する。また、処理実行部１３０は、コンテンツ制御指示入力部１２２から伝送された信号に基づいて、ユーザが押したコンテンツ制御ボタン１０４に対応するコンテンツ再生に関する処理を実行する。また、処理実行部１３０は、タッチパネル表示指示入力部１２４から伝送された信号に基づいて、タッチパネル１０２にあらかじめ設定されたメニュー画面などを表示させる処理を実行する。
【００５９】
さらに、処理実行部１３０は、ホールド状態切替制御部１２８から伝送される信号に基づいて、携帯型音楽プレーヤ１００のホールド状態の切替処理を実行する。例えば、処理実行部１３０は、ホールド状態切替制御部１２８から、ホールド解除状態への変更を指示する信号を受信した場合、携帯型音楽プレーヤ１００のホールド状態をホールド解除状態へ切り換える。このホールド解除状態においては、処理実行部１３０は、タッチパネル操作指示入力部１２０およびコンテンツ制御指示入力部１２２から信号を受信した場合、伝送された信号に応じた処理を実行する。
【００６０】
一方、処理実行部１３０は、ホールド状態切替制御部１２８から、タッチパネルホールド状態への変更を指示する信号を受信した場合、携帯型音楽プレーヤ１００のホールド状態をタッチパネルホールド状態へ切り換える。このタッチパネルホールド状態においては、処理実行部１３０は、タッチパネル操作指示入力部１２０から伝送された信号には応じず、コンテンツ制御指示入力部１２２から伝送された信号にのみ応じた処理を実行する。
【００６１】
また、処理実行部１３０は、ホールド状態切替制御部１２８から、ホールド有効状態への変更を指示する信号を受信した場合、携帯型音楽プレーヤ１００のホールド状態をホールド有効状態へ切り換える。このホールド有効状態においては、処理実行部１３０は、タッチパネル操作指示入力部１２０およびコンテンツ制御指示入力部１２２から伝送された信号に応じた処理を一切実行しない。なお、処理実行部１３０によるホールド状態の切替処理や、ユーザによるタッチパネル１０２およびコンテンツ制御ボタン１０４の操作に応じた各種処理の流れの詳細については、後述する処理フローで説明する。
【００６２】
また、処理実行部１３０は、実行する処理の内容に応じてタッチパネル１０２の表示画面を切り換える場合には、タッチパネル１０２の表示切替を指示する信号を、後述するタッチパネル表示制御部１３２へ伝送する。これを受けて、タッチパネル表示制御部１３２は、処理実行部１３０による処理の実行に応じてタッチパネル１０２の表示画面を適宜更新することができる。
【００６３】
（タッチパネル表示制御部１３２）
タッチパネル表示制御部１３２は、処理実行部１３０から伝送された信号に基づいて、タッチパネル１０２の表示の切替処理を実行する。例えば、タッチパネル表示制御部１３２は、ユーザがタッチパネル表示ボタン１０６を押した場合、タッチパネル表示指示入力部１２４および処理実行部１３０を介して伝送される信号に基づいて、タッチパネル１０２にメニュー画面などを表示させることができる。その後、ユーザがメニュー画面の中から所定のＧＵＩボタンを選択した場合、タッチパネル操作指示入力部１２０および処理実行部１３０を介して、選択されたＧＵＩボタンに関する情報を含む信号がタッチパネル表示制御部１３２に伝送される。タッチパネル表示制御部１３２は、当該信号に基づいて、選択されたＧＵＩボタンに関連する新しいＧＵＩボタンをタッチパネル１０２に表示させることができる。また、タッチパネル表示制御部１３２は、ユーザにより任意のホールド状態が選択された場合、現在のホールド状態をユーザに認識させるためのマークや画像などをタッチパネル１０２に表示させることもできる。なお、ホールド状態が切り替わった際のタッチパネル１０２の表示切替の例については、後述する変形例４において説明する。
【００６４】
タッチパネル表示制御部１３２は、処理実行部１３０からの指示に応じてタッチパネル１０２の表示画面を適宜更新することができ、更新する画面の内容は上記例に限定されるものではない。例えば、タッチパネル表示制御部１３２は、音楽再生中の再生時間表示の更新、静止画ファイルのスライドショーのように、ユーザによる指示がなくても自動でタッチパネル１０２の表示を切り換えることも当然に可能である。
【００６５】
以上、本実施形態に係る携帯型音楽プレーヤ１００の機能構成の一例について図５を参照に説明した。なお、図５に示した携帯型音楽プレーヤ１００の機能構成は、本実施形態を説明する上での一例であり、上記説明においては、本実施形態の特徴的部分であるホールド状態の切替に関する機能を中心に説明した。
【００６６】
（４．ホールド状態の概念）
次に、本実施形態に係る携帯型音楽プレーヤ１００における３つのホールド状態の概念について説明する。図６は、ホールド状態切替スイッチ１０８が摺動された際のポジションと、該ポジションに対応するホールド状態との関係を表す概念図である。また、図７は、各ホールド状態におけるタッチパネル１０２およびコンテンツ制御ボタン１０４の機能の有効／無効の関係を示す説明図である。なお、図７における「ＯＮ」は、ホールド機能が働いてタッチパネル１０２またはコンテンツ制御ボタン１０４の機能が無効であることを意味する。また、図７における「ＯＦＦ」は、ホールド機能が働いておらず、タッチパネル１０２またはコンテンツ制御ボタン１０４の機能が有効であることを意味する。
【００６７】
図６に示すように、ホールド状態切替スイッチ１０８は、３つのホールド状態（ａ）、（ｂ）、（ｃ）にそれぞれ対応するポジションＡ（第１切替位置）、ポジションＢ（第２切替位置）、ポジションＣ（第３切替位置）に摺動可能に構成されている。したがってユーザは、ホールド状態切替スイッチ１０８をポジションＡに摺動させることによりホールド状態（ａ）に、ポジションＢに摺動させることによりホールド状態（ｂ）に、ポジションＣに摺動させることによりホールド状態（ｃ）に切り換えることができる。
【００６８】
ここで、図７を参照すると、ホールド状態（ａ）は、タッチパネル１０２およびコンテンツ制御ボタン１０４の機能がともに有効である「ホールド解除状態」に対応するものであることがわかる。また、ホールド状態（ｂ）は、タッチパネル１０２の機能のみが無効であり、コンテンツ制御ボタン１０４の機能が有効である「タッチパネルホールド状態」に対応するものであることがわかる。さらに、ホールド状態（ｃ）は、タッチパネル１０２およびコンテンツ制御ボタン１０４の機能がともに無効である「ホールド有効状態」に対応するものであることがわかる。
【００６９】
すなわち、ユーザは、ホールド状態切替スイッチ１０８をポジションＡ、Ｂ、Ｃに摺動させることにより、ホールド解除状態、タッチパネルホールド状態およびホールド有効状態を選択的に切り換えることができる。
【００７０】
（５．携帯型音楽プレーヤ１００におけるホールド機能の切替処理）
次に、本実施形態に係る携帯型音楽プレーヤ１００によって実行される各種処理の流れについてフロー図を参照に説明する。
【００７１】
（ホールド状態の切替処理）
まず、ユーザがホールド状態切替スイッチ１０８を操作した際のホールド状態の切替処理の流れについて説明する。図８は、ユーザがホールド状態切替スイッチ１０８を操作した際のホールド状態の切替処理の流れの一例を示すフロー図である。なお、図８に示す処理は、ユーザによりホールド状態切替スイッチ１０８のポジションが変更された場合、すなわち、ホールド状態切替指示入力部１２６からポジションの変更に関する情報を含む信号がホールド状態切替制御部１２８へ伝送された際の処理である。
【００７２】
図８に示すように、ステップ２００において、ホールド状態切替制御部１２８は、ユーザにより変更されたホールド状態切替スイッチ１０８がポジションＡに固定されているか否かを判断する。上述したように、ホールド状態切替制御部１２８は、ホールド状態切替指示入力部１２６から伝送された信号に基づいてホールド状態切替スイッチ１０８のポジションを認識することができる。
【００７３】
ステップ２００によりホールド状態切替スイッチ１０８がポジションＡに固定されていると判断された場合、ステップ２０２において、ホールド状態切替制御部１２８からの指示に応じて処理実行部１３０は、ホールド状態（ａ）への切替処理を実行する。すなわち、処理実行部１３０は、タッチパネル１０２およびコンテンツ制御ボタン１０４のホールド機能をＯＦＦに変更することにより、ホールド状態をホールド解除状態に変更する。この結果、処理実行部１３０は、タッチパネル１０２およびコンテンツ制御ボタン１０４を介したユーザ操作に応じて、所定の処理を実行することとなる。すなわち、ユーザは、タッチパネル１０２による操作も、コンテンツ制御ボタン１０４による操作も可能となる。これにより、ユーザは、タッチパネル１０２を操作することにより、メニュー選択や楽曲選択などの所定の操作を行うことができる。さらに、ユーザは、タッチパネル１０２に表示されるメニュー画面などを操作しながら、再生中の楽曲に関する処理（一時停止、曲送り等）をコンテンツ制御ボタン１０４を操作することにより同時に行うことができる。
【００７４】
一方、ステップ２００によりポジションＡに固定されていないと判断された場合、ステップ２０４において、ホールド状態切替制御部１２８は、ユーザにより変更されたホールド状態切替スイッチ１０８がポジションＢに固定されているか否かを判断する。
【００７５】
ステップ２０４によりホールド状態切替スイッチ１０８がポジションＢに固定されていると判断された場合、ステップ２０６において、ホールド状態切替制御部１２８からの指示に応じて処理実行部１３０は、ホールド状態（ｂ）への切替処理を実行する。すなわち、処理実行部１３０は、タッチパネル１０２のホールド機能をＯＮに変更し、コンテンツ制御ボタン１０４のホールド機能をＯＦＦに変更することにより、ホールド状態をタッチパネルホールド状態に変更する。この結果、処理実行部１３０は、タッチパネル１０２を介したユーザ操作に対しては一切処理を実行せず、コンテンツ制御ボタン１０４を介したユーザ操作に応じた所定の処理のみを実行することとなる。すなわち、ユーザは、タッチパネル１０２による操作はできず、コンテンツ制御ボタン１０４による操作のみが可能となる。これにより、ユーザは、例えば、携帯型音楽プレーヤ１００をポケットなどに入れて音楽を聞く場合においても、タッチパネル１０２による誤動作を確実に防止することができる。さらに、ユーザは、コンテンツ制御ボタン１０４をブラインドタッチにより操作することにより、コンテンツ再生に関する操作のみを行うことができる。
【００７６】
また、ステップ２０４によりポジションＢに固定されていないと判断された場合、ホールド状態切替制御部１２８は、ユーザにより変更されたホールド状態切替スイッチ１０８がポジションＢに固定されていると判断する。この場合、ステップ２０８において、ホールド状態切替制御部１２８からの指示に応じて処理実行部１３０は、ホールド状態（ｃ）への切替処理を実行する。すなわち、処理実行部１３０は、タッチパネル１０２およびコンテンツ制御ボタン１０４のホールド機能をＯＮに変更することにより、ホールド状態をホールド有効状態に変更する。この結果、処理実行部１３０は、タッチパネル１０２およびコンテンツ制御ボタン１０４を介したユーザ操作に対しては一切処理を実行しないこととなる。すなわち、ユーザは、タッチパネル１０２およびコンテンツ制御ボタン１０４による操作はできない。これにより、ユーザは、例えば、携帯型音楽プレーヤ１００を使用しない場合などに、タッチパネル１０２およびコンテンツ制御ボタン１０４による誤動作を確実に防止することができる。
【００７７】
（タッチパネル１０２の操作時における処理）
次に、ユーザがタッチパネル１０２に表示される所定のＧＵＩボタンに触れた際の処理の流れについて説明する。図９は、ユーザがタッチパネル１０２に表示される所定のＧＵＩボタンに触れた際の処理の流れの一例を示すフロー図である。なお、図９に示す処理は、ユーザがタッチパネル１０２に表示されたＧＵＩボタンに触れた際、すなわち、タッチパネル操作指示入力部１２０からタッチパネル操作に関する情報を含む信号が処理実行部１３０へ伝送された際の処理である。
【００７８】
図９に示すように、ステップ３００において、処理実行部１３０は、現在のホールド状態がホールド状態（ａ）、すなわちホールド解除状態であるか否かを判断する。処理実行部１３０は、図８に示した処理フローによりホールド状態を変更した際に、現在のホールド状態を、例えば、ＲＡＭ（Ｒａｎｄｏｍ  Ａｃｃｅｓｓ  Ｍｅｍｏｒｙ）などの一時記憶領域に記録しておくことができる。これにより処理実行部１３０は、タッチパネル操作指示入力部１２０から信号を受信した際に、現在のホールド状態を確認することができる。
【００７９】
ステップ３００によりホールド状態（ａ）であると判断された場合、ステップ３０２において、処理実行部１３０は、タッチパネル操作指示入力部１２０から伝送された信号に基づいて所定の処理を実行する。
【００８０】
一方、ステップ３０２によりホールド状態（ａ）でないと判断された場合、ホールド状態は、タッチパネルホールド状態（ホールド状態（ｂ））またはホールド有効状態（タッチパネルホールド状態（ｃ））であることを意味する。したがって、携帯型音楽プレーヤ１００は、少なくともタッチパネル１０２の機能を無効にする必要があるため、処理実行部１３０は、タッチパネル操作指示入力部１２０から伝送された信号に対して一切処理を実行しない。
【００８１】
このように、処理実行部１３０は、携帯型音楽プレーヤ１００のホールド状態に応じて、ユーザによるタッチパネル１０２の操作を無効にしたり、ユーザによるタッチパネル１０２の操作に応じた処理を実行したりすることができる。
【００８２】
（コンテンツ制御ボタン１０４の操作時における処理）
次に、ユーザがコンテンツ制御ボタン１０４を押した際の処理の流れについて説明する。図１０は、ユーザがコンテンツ制御ボタン１０４を押した際の処理の流れの一例を示すフロー図である。なお、図１０に示す処理は、ユーザがコンテンツ制御ボタン１０４を押した際、すなわち、コンテンツ制御指示入力部１２２からコンテンツ再生処理に関する情報を含む信号が処理実行部１３０へ伝送された際の処理である。
【００８３】
図１０に示すように、ステップ４００において、処理実行部１３０は、現在のホールド状態がホールド状態（ａ）、すなわちホールド解除状態であるか否かを判断する。
【００８４】
ステップ４００によりホールド状態（ａ）であると判断された場合、ステップ４０２において、処理実行部１３０は、コンテンツ制御指示入力部１２２から伝送された信号に基づいて所定の処理を実行する。
【００８５】
一方、ステップ４０２によりホールド状態（ａ）でないと判断された場合、処理実行部１３０は、ステップ４０４において、現在のホールド状態がホールド状態（ｂ）、すなわちタッチパネルホールド状態であるか否かを判断する。
【００８６】
ステップ４０４によりホールド状態（ｂ）であると判断された場合、ステップ４０２において、処理実行部１３０は、コンテンツ制御指示入力部１２２から伝送された信号に基づいて所定の処理を実行する。
【００８７】
一方、ステップ４０４によりホールド状態（ｂ）でないと判断された場合、ホールド状態は、ホールド有効状態（タッチパネルホールド状態（ｃ））であることを意味する。したがって、携帯型音楽プレーヤ１００は、コンテンツ制御ボタン１０４の機能を無効にする必要があるため、処理実行部１３０は、コンテンツ制御指示入力部１２２から伝送された信号に対して一切処理を実行しない。
【００８８】
このように、処理実行部１３０は、携帯型音楽プレーヤ１００のホールド状態に応じて、ユーザによるコンテンツ制御ボタン１０４の操作を無効にしたり、ユーザによるコンテンツ制御ボタン１０４の操作に応じた処理を実行したりすることができる。
【００８９】
以上、本実施形態に係る携帯型音楽プレーヤ１００の詳細について説明した。上述したように、携帯型音楽プレーヤ１００は、１つのホールド状態切替スイッチ１０８により、タッチパネル１０２およびコンテンツ制御ボタン１０４のホールド状態を選択的に切り換えることができ、ユーザビリティを高めることが可能である。
【００９０】
（６．変形例）
上述した実施形態に係る携帯型音楽プレーヤ１００に備えられる機能は、必ずしも上記例に限定されるものではなく、追加的な機能をさらに備えることや、上記機能の一部を変更することにより、さらにユーザビリティを高めることも可能である。以下、ユーザビリティをさらに高めることが可能な携帯型音楽プレーヤ１００の変形例について説明する。
【００９１】
（６−１．変形例１）
上記実施形態では、ホールド状態切替スイッチ１０８は、３つのポジションに段階的に摺動可能に構成されている。これにより、ユーザはホールド状態切替スイッチ１０８を各ポジションに摺動させることにより、各ポジションに対応するホールド状態に選択的に切り換えることができる。しかしながら、ホールド状態切替スイッチ１０８の構成は必ずしも上記例に限定されるものではない。以下、変形例１として、別の構成を有するホールド状態切替スイッチ１０８を備えることにより、ユーザビリティをさらに高めることが可能な携帯型音楽プレーヤ１００について説明する。
【００９２】
図１１は、変形例１において、ホールド状態切替スイッチ１０８が摺動された際のポジションと、該ポジションに対応するホールド状態との関係を表す概念図である。また、図１２は、各ホールド状態におけるタッチパネル１０２およびコンテンツ制御ボタン１０４の機能の有効／無効の関係を示す説明図である。
【００９３】
図１１に示すように、変形例１のホールド状態切替スイッチ１０８は、ユーザによる操作により段階的にポジションＡ（第１切替位置）およびポジションＢ（第２切替位置）に摺動して固定される。しかしながら、変形例１のホールド状態切替スイッチ１０８は、ユーザによる操作によりポジションＢを基点にポジションＡと逆方向に摺動された場合、ポジションＣで固定されない。その後、ユーザがホールド状態切替スイッチ１０８から手を離すと、ホールド状態切替スイッチ１０８はポジションＢに自動で復元される。これは、例えば、ホールド状態切替スイッチ１０８内部にスプリング機構などが設けられることにより実現される。
【００９４】
この場合、例えば、ホールド状態切替スイッチ１０８に可動接触子や検出装置などが備えられることにより、ホールド状態切替指示入力部１２６は、ホールド状態切替スイッチ１０８が、ポジションＢを基点にポジションＣ方向に一時的に摺動したことを認識できる。これを受けて、ホールド状態切替制御部１２８は、ホールド状態切替スイッチ１０８がポジションＢを基点にポジションＣ方向に一時的に摺動する毎に、ホールド状態（ｂ）とホールド状態（ｃ）とを順次切り替えるように処理実行部１３０に指示することができる。
【００９５】
なお、ホールド状態切替スイッチ１０８がポジションＢを基点にポジションＣ方向に一時的に摺動するための構成および一時的な摺動の検出方法は、上記例に限定されるものではない。例えば、特開２００８−９７９３４号公報に記載された技術を利用することなども可能であり、ホールド状態切替スイッチ１０８は、ポジションＢを基点にポジションＣ方向に一時的に摺動することが可能な構成であれば特定の構成および検出方法に限定されない。
【００９６】
また、変形例１においては、各ホールド状態（ａ）、（ｂ）、（ｃ）におけるタッチパネル１０２およびコンテンツ制御ボタン１０４の機能を、図１２に示す関係とすることによりユーザビリティを高めることができる。
【００９７】
図１２に示すように、ホールド状態（ａ）は、タッチパネル１０２およびコンテンツ制御ボタン１０４の機能がともに無効である「ホールド有効状態」に対応する。また、ホールド状態（ｂ）は、タッチパネル１０２の機能のみが無効であり、コンテンツ制御ボタン１０４の機能が有効である「タッチパネルホールド状態」に対応する。さらに、ホールド状態（ｃ）は、タッチパネル１０２およびコンテンツ制御ボタン１０４の機能がともに有効である「ホールド解除状態」に対応する。
【００９８】
すなわち、ホールド状態切替スイッチ１０８がポジションＡに固定されている場合には、ユーザは、タッチパネル１０２およびコンテンツ制御ボタン１０４ともに操作することができない。一方、ホールド状態切替スイッチ１０８がポジションＢに固定されている場合には、ユーザは、少なくともコンテンツ制御ボタン１０４を操作することができる。さらに、ユーザは、コンテンツ制御ボタン１０４をポジションＢを基点にポジションＣ方向に一時的に摺動することにより、タッチパネル１０２の機能の有効／無効を順次切り替えることができる。
【００９９】
上述した実施形態のように、１つのスライドスイッチを３つの固定ポジションに摺動させることは操作性に優れているとはいえない。しかしながら、変形例１では、ホールド状態切替スイッチ１０８が固定されるポジションは２つのみである。したがって、ユーザは、携帯型音楽プレーヤ１００の操作を一切行わないような場合には、ホールド状態切替スイッチ１０８をポジションＡに固定しておくことにより、タッチパネル１０２およびコンテンツ制御ボタン１０４による誤動作を確実に防止できる。さらに、ユーザは、コンテンツ制御ボタン１０４の操作を希望する場合には、ホールド状態切替スイッチ１０８をポジションＢに固定しておけばよい。この場合において、ユーザは、タッチパネル１０２を使用する際に、ホールド状態切替スイッチ１０８を、ポジションＢを基点にポジションＡと逆方向に一時的に摺動することにより、タッチパネル１０２も操作することができる。また、タッチパネル１０２の操作終了後に、ホールド状態切替スイッチ１０８を、ポジションＢを基点にポジションＡと逆方向に一時的に摺動することにより、タッチパネル１０２の機能を無効にして誤動作を確実に防止することができる。
【０１００】
さらに、変形例１では、同じポジションＢで２つのホールド状態（タッチパネルホールド状態およびホールド解除状態）を切り替えることができる。したがって、ホールド状態切替スイッチ１０８がポジションＢである場合には、ユーザによってホールド状態切替スイッチ１０８が操作されない場合にも、上記２つのホールド状態を自動で切り替えることもできる。以下、このように２つのホールド状態を自動で切り替えることが可能な変形例２および変形例３について説明する。
【０１０１】
（６−２．変形例２）
上述した実施形態においては、タッチパネル表示ボタン１０６がユーザにより押されることにより、タッチパネル１０２にメニュー画面などが表示される。しかし、ユーザは、例えば、タッチパネルホールド状態においてタッチパネル表示ボタン１０６を押しても、タッチパネル１０２の操作を行うことができない。したがって、ユーザは、タッチパネル表示ボタン１０６を押した後（または前）に、ホールド状態切替スイッチ１０８を操作してホールド解除状態に変更させるといった煩雑な操作が必要となる。
【０１０２】
ここで、タッチパネル１０２に表示されるメニュー画面は、例えば、図１３に示すように、携帯型音楽プレーヤ１００が備える機能の一覧などを表示する場合が想定される。したがって、ユーザがタッチパネル表示ボタン１０６を押す場合は、すぐにタッチパネル１０２を操作して所定の機能の実行を希望する場合が多い。このような状況においても、タッチパネル表示ボタン１０６を押す前後に、ホールド状態切替スイッチ１０８を操作してホールド解除状態に変更させなければならず、ユーザビリティに欠けるという問題が生じる。
【０１０３】
そこで、変形例２では、上記変形例１で説明したホールド状態切替スイッチ１０８を利用することにより、上記問題点を解消することができる。具体的には、タッチパネルホールド状態において、ユーザがタッチパネル表示ボタン１０６を押した場合、処理実行部１３０は、メニュー画面をタッチパネル１０２に表示させるとともに、ホールド状態をホールド解除状態に自動で切り替える。
【０１０４】
以下、ユーザがタッチパネル表示ボタン１０６を押した際の処理の流れについて説明する。図１４は、ユーザがタッチパネル表示ボタン１０６を押した際の処理の流れの一例を示すフロー図である。なお、図１４に示す処理は、ユーザがタッチパネル表示ボタン１０６を押した際、すなわち、タッチパネル表示指示入力部１２４からメニュー画面の表示処理に関する情報を含む信号が処理実行部１３０へ伝送された際の処理である。
【０１０５】
図１４に示すように、ステップ５００において、処理実行部１３０は、現在のホールド状態がホールド状態（ａ）、すなわちホールド有効状態であるか否かを判断する。
【０１０６】
ステップ５００によりホールド状態（ａ）であると判断された場合、ステップ５０２において、処理実行部１３０は、タッチパネル表示制御部１３２を介して、タッチパネル１０２に所定のメッセージを表示させる。タッチパネル１０２に表示されるメッセージとしては、例えば、「タッチパネル１０２がホールドされています」、「ホールド機能を解除してください」などといったメッセージが想定される。ホールド状態（ａ）の場合は、ユーザが一切携帯型音楽プレーヤ１００を使用していない状態であるため、ユーザは、タッチパネル１０２を操作するに際して、ホールド状態切替スイッチ１０８を操作する必要がある。
【０１０７】
なお、ステップ５０２によるメッセージ表示処理は、ユーザビリティを高めるために任意的に行われる処理であり、必ずしも行われる必要はない。また、処理実行部１３０は、ステップ５０２において、メッセージ表示と同時にメニュー画面をタッチパネル１０２に表示させてもよい。
【０１０８】
一方、ステップ５００によりホールド状態（ａ）でないと判断された場合、処理実行部１３０は、ステップ５０４において、現在のホールド状態がホールド状態（ｂ）、すなわちタッチパネルホールド状態であるか否かを判断する。
【０１０９】
ステップ５０４によりホールド状態（ｂ）であると判断された場合、ステップ５０６において、処理実行部１３０は、ホールド状態をホールド状態（ｃ）、すなわちホールド解除状態に自動で切り替える。さらに、処理実行部１３０は、ステップ５０８において、タッチパネル表示制御部１３２を介して、タッチパネル１０２にメニュー画面を表示させる。この結果、ユーザは、タッチパネルホールド状態（ホールド状態（ｂ））において、タッチパネル表示ボタン１０６を押してメニュー画面をタッチパネル１０２に表示させる際、ホールド状態切替スイッチ１０８を操作する必要がない。
【０１１０】
一方、ステップ５０４によりホールド状態（ｂ）でないと判断された場合、ホールド状態は、ホールド解除状態（タッチパネルホールド状態（ｃ））であることを意味する。したがって、処理実行部１３０は、ステップ５０８において、タッチパネル表示制御部１３２を介して、タッチパネル１０２にメニュー画面を表示させる。
【０１１１】
このように、処理実行部１３０は、タッチパネルホールド状態（ホールド状態（ｂ））においては、ユーザによるホールド状態切替スイッチ１０８の操作なしに、ホールド状態を自動でホールド解除状態に変更させることができる。この結果、変形例２の携帯型音楽プレーヤ１００は、ユーザの煩雑な操作を軽減することができ、ユーザビリティをさらに高めることが可能である。
【０１１２】
（６−３．変形例３）
上記変形例２で説明したホールド状態の自動切換処理は、タッチパネル表示ボタン１０６がユーザにより押された場合のみに行われるものではない。ホールド状態の自動切換え処理が行われる他の例として、電源再投入時におけるホールド機能の自動切換処理を行う変形例３について以下説明する。
【０１１３】
携帯型音楽プレーヤ１００は、例えば、あらかじめ設定された所定時間ユーザにより操作されなかった場合などには、自動でスリープモードなどを介して電源が遮断されることもある。この状態において電源が再投入された場合、上述した３つの固定ポジションにより構成されるホールド状態切替スイッチ１０８を備える携帯型音楽プレーヤ１００では、ホールド状態切替スイッチ１０８が摺動されない限り、電源遮断時のホールド状態のままである。通常、ユーザが電源を再投入する場合、タッチパネル１０２による操作を希望することが想定される。したがって、上述した実施形態に係る携帯型音楽プレーヤ１００では、ユーザが、電源再投入後（または前）にホールド状態切替スイッチ１０８を操作して、ホールド解除状態に変更させなければならず、ユーザビリティに欠けるという問題が生じる。
【０１１４】
そこで、変形例３では、上記変形例１で説明したホールド状態切替スイッチ１０８を備え、上記変形例２で説明した方法と同様の方法を利用することにより、上記問題点を解消することができる。具体的には、タッチパネルホールド状態において、携帯型音楽プレーヤ１００の電源が遮断された後に、ユーザが電源を再投入した場合、処理実行部１３０は、電源を再起動するとともに、ホールド状態をホールド解除状態に自動で切り替える。
【０１１５】
以下、ユーザが携帯型音楽プレーヤ１００の電源を再投入した際の処理の流れについて説明する。図１５は、ユーザが携帯型音楽プレーヤ１００の電源を再投入した際の処理の流れの一例を示すフロー図である。
【０１１６】
図１５に示すように、ステップ６００において、処理実行部１３０は、現在のホールド状態がホールド状態（ａ）、すなわちホールド有効状態であるか否かを判断する。
【０１１７】
ステップ６００によりホールド状態（ａ）であると判断された場合、ステップ６０２において、処理実行部１３０は、タッチパネル表示制御部１３２を介して、タッチパネル１０２に所定のメッセージを表示させる。タッチパネル１０２に表示されるメッセージとしては、例えば、「ホールド機能が設定されています」、「ホールド機能を解除してください」などといったメッセージが想定される。ホールド有効状態の場合は、ユーザが一切携帯型音楽プレーヤ１００を使用していない状態であるため、ユーザからの電源再起動を受け付けない。
【０１１８】
また、ステップ６０２によるメッセージ表示処理は、ユーザビリティを高めるために任意的に行われる処理であり、必ずしも行われる必要はない。もちろん携帯型音楽プレーヤ１００の製品仕様などに応じて、処理実行部１３０は、ステップ６０２において、メッセージ表示と同時に、電源の起動処理を行ってもよい。この場合、ユーザは、電源再起動後に、ホールド状態切替スイッチ１０８を操作してタッチパネル１０２のホールド機能を解除する必要がある。
【０１１９】
一方、ステップ６００によりホールド状態（ａ）でないと判断された場合、処理実行部１３０は、ステップ６０４において、現在のホールド状態がホールド状態（ｂ）、すなわちタッチパネルホールド状態であるか否かを判断する。
【０１２０】
ステップ６０４によりホールド状態（ｂ）であると判断された場合、ステップ６０６において、処理実行部１３０は、ホールド状態をホールド状態（ｃ）、すなわちホールド解除状態に自動で切り替える。さらに、処理実行部１３０は、ステップ６０８において、電源の起動処理を行う。この結果、ユーザは、タッチパネルホールド状態において電源が遮断された後に電源を再起動した場合、ホールド状態切替スイッチ１０８を操作してタッチパネル１０２のホールド機能を解除することなく、すぐにタッチパネル１０２を操作することができる。
【０１２１】
一方、ステップ６０４によりホールド状態（ｂ）でないと判断された場合、ホールド状態は、ホールド解除状態（タッチパネルホールド状態（ｃ））であることを意味する。したがって、処理実行部１３０は、ステップ６０８において、電源の起動処理を行う。
【０１２２】
このように、処理実行部１３０は、タッチパネルホールド状態において電源が遮断された後に電源が再起動された場合、ユーザによるホールド状態切替スイッチ１０８の操作なしに、ホールド状態を自動でホールド解除状態に変更させることができる。この結果、変形例３の携帯型音楽プレーヤ１００は、ユーザの煩雑な操作を軽減することができ、ユーザビリティをさらに高めることが可能である。
【０１２３】
（６−３．変形例４）
上記実施形態および変形例における携帯型音楽プレーヤ１００において、ホールド状態が切り替えられた際には、ユーザにホールド状態が切り替わったことや現在のホールド状態を認識させる必要がある。そこで、ホールド状態が切り替えられた際に、タッチパネル１０２の表示を更新させることによりユーザに現在のホールド状態を認識させることができ、ユーザビリティを高めることが可能な変形例４の携帯型音楽プレーヤ１００について以下説明する。
【０１２４】
携帯型音楽プレーヤ１００は、複数のホールド状態を有しているため、タッチパネル１０２には、各ホールド状態に対応した異なるマークなどを表示させた方がよい。ここで、例えば、単純にそれぞれのホールド状態に応じて異なる鍵マークなどを表示させることにより、ユーザに現在のホールド状態を認識させることもできる。しかし、ユーザに対して、より明確に現在のホールド状態を認識させることが可能な表示方法について以下説明する。なお、以下に示すタッチパネル１０２の表示処理は、上述したタッチパネル表示制御部１３２によって行われる。
【０１２５】
図１６は、ホールド状態が変更された際のタッチパネル１０２の表示例を示す説明図である。図１６に示す例は、ユーザがタッチパネル１０２に表示されているメニュー画面を操作中に、ホールド状態切替スイッチ１０８を操作してホールド解除状態からタッチパネルホールド状態に切り替えた場合のタッチパネル１０２の表示例である。
【０１２６】
図１６に示すように、ユーザが操作していたメニュー画面は表示されたままであるが、タッチパネル１０２には、該メニュー画面に所定のブラインド画像が重畳されて表示されている。このように、ブラインド画像が重畳表示されることにより、ユーザは現在タッチパネル１０２を操作できないことを明確に認識することができる。また、タッチパネルホールド状態とホールド有効状態とでブラインド画像の種類、例えば、色、ハッチング、透明度などを変えることにより、現在のホールド状態の差異をユーザに認識させることもできる。また、ブラインド画像の下には、タッチパネル１０２で操作していた画面が継続して表示されるため、ユーザは、タッチパネル１０２のホールド機能を解除した際に開始できる操作を明確に認識することができる。
【０１２７】
図１７は、図１６に示したブラインド画像の表示方法の一例を示す説明図である。図１７に示すように、タッチパネル表示制御部１３２は、ブラインド画像を、タッチパネル１０２の所定の位置からスライドさせて、タッチパネル１０２に表示されていたメニュー画面に重畳させて表示させる。ユーザにとっては、ブラインド画像があたかもシャッターが降りるようなイメージでタッチパネル１０２に表示されることとなる。したがって、ユーザは、タッチパネル１０２の機能が無効になったことを容易に認識することができる。
【０１２８】
また、ブラインド画像をスライドさせるにあたって、タッチパネル表示制御部１３２は、ホールド状態切替スイッチ１０８の摺動方向と同一方向にブラインド画像をタッチパネル１０２の所定の位置からスライドさせることもできる。例えば、ユーザが、ホールド状態切替スイッチ１０８を上から下に摺動させてホールド状態を切り替えた場合、タッチパネル表示制御部１３２は、ブラインド画像を、タッチパネル１０２の上側から下側に向けてスライドさせて表示させる。また、ユーザが、ホールド状態切替スイッチ１０８を下から上に摺動させてホールド状態を切り替えた場合、タッチパネル表示制御部１３２は、ブラインド画像を、タッチパネル１０２の下側から上側に向けてスライドさせて表示させる。この結果、ユーザの操作に対応してブラインド画像が表示されるため、ユーザは自分が行った操作に対応するホールド機能の切替処理が確実に実行されたことを明確に認識することができる。
【０１２９】
また、携帯型音楽プレーヤ１００に、例えば、加速度センサが備えられる場合には、タッチパネル表示制御部１３２は、携帯型音楽プレーヤ１００の傾きに応じて常にタッチパネル１０２の上側から下側に向けてブラインド画像をスライドさせてもよい。
【０１３０】
また、タッチパネル表示制御部１３２は、タッチパネル１０２に表示中のコンテンツの内容に合わせて上記ブラインド画像を表示させるか否かを判断してもよい。例えば、図１６に示した例のように、メニュー画面の表示中にユーザがタッチパネルホールド状態またホールド有効状態に切り替えるような場合、通常ユーザがタッチパネル１０２を使用しないことが想定される。したがって、タッチパネル表示制御部１３２は、上記例のようにメニュー画面にブラインド画像を重畳させて表示させて、ユーザに現在のホールド状態を認識させる。
【０１３１】
一方、例えば、タッチパネル１０２で動画を再生中の場合や静止画をスライドショー表示している場合などにおいては、ユーザがタッチパネルホールド状態またホールド有効状態に切り替えたとしても、通常ユーザは引き続きタッチパネル１０２を見ることとなる。したがって、このように、タッチパネル１０２で動画コンテンツまたは静止画コンテンツが再生中の場合には、タッチパネル表示制御部１３２は、上記例のようにブラインド画像を動画または静止画などに重畳させて表示させない。この結果、ユーザは、タッチパネル１０２に表示される動画および静止画をよりクリアに見ることができる。なお、この際、タッチパネル表示制御部１３２は、現在のホールド状態を表す鍵マークなどをタッチパネル１０２に表示させてもよい。
【０１３２】
以上説明したように、変形例４の携帯型音楽プレーヤ１００は、ホールド状態が切り替わった際のタッチパネル１０２の表示方法を変更することにより、ユーザビリティをさらに高めることができる。
【０１３３】
（７．携帯型音楽プレーヤ１００のハードウェア構成）
次に、図１８を参照しながら、本実施形態に係る携帯型音楽プレーヤ１００のハードウェア構成について、詳細に説明する。図１８は、本実施形態に係る携帯型音楽プレーヤ１００のハードウェア構成を説明するためのブロック図である。
【０１３４】
携帯型音楽プレーヤ１００は主に、ＣＰＵ９０１と、ＲＯＭ９０３と、ＲＡＭ９０５と、ブリッジ９０９と、インターフェース９１３と、入力装置９１５と、出力装置９１７と、ストレージ装置９１９と、ドライブ９２１と、接続ポート９２３と、を含んで構成される。
【０１３５】
ＣＰＵ９０１は、演算処理装置および制御装置として機能し、ＲＯＭ９０３、ＲＡＭ９０５、ストレージ装置９１９、またはリムーバブル記録媒体９２７に記録された各種プログラムに従って、携帯型音楽プレーヤ１００内の動作全般またはその一部を制御する。ＲＯＭ９０３は、ＣＰＵ９０１が使用するプログラムや演算パラメータ等を記憶する。ＲＡＭ９０５は、ＣＰＵ９０１の実行において使用するプログラムや、その実行において適宜変化するパラメータ等を一次記憶する。これらはＣＰＵバス等の内部バスにより構成されるホストバス９０７により相互に接続されている。
【０１３６】
ホストバス９０７は、ブリッジ９０９を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス９１１に接続されている。
【０１３７】
入力装置９１５は、例えば、タッチパネル、ボタン、スイッチおよびレバーなどユーザが操作する操作手段である。また、入力装置９１５は、例えば、赤外線やその他の電波を利用したリモートコントロール手段（いわゆる、リモコン）であってもよい。なお、入力装置９１５は、上述したタッチパネル１０２、コンテンツ制御ボタン１０４、タッチパネル表示ボタン１０６およびホールド状態切替スイッチ１０８などにより構成される。
【０１３８】
出力装置９１７は、例えば、液晶ディスプレイ装置、プラズマディスプレイ装置、ＥＬディスプレイ装置などの表示装置や、スピーカおよびヘッドホンなどの音声出力装置など、各種情報をユーザに対して視覚的または聴覚的に通知することが可能な装置で構成される。なお、出力装置９１７は、上述したタッチパネル１０２を構成するディスプレとして機能する。
【０１３９】
ストレージ装置９１９は、携帯型音楽プレーヤ１００の記憶部の一例として構成されたデータ格納用の装置であり、例えば、ＨＤＤ等の磁気記憶部デバイス、半導体記憶デバイス、光記憶デバイス、または光磁気記憶デバイス等により構成される。このストレージ装置９１９は、ＣＰＵ９０１が実行するプログラムや各種データ、音楽データ、動画データおよび静止画データなどを格納する。
【０１４０】
ドライブ９２１は、記録媒体用リーダライタであり、携帯型音楽プレーヤ１００に内蔵、あるいは外付けされる。ドライブ９２１は、装着されている磁気ディスク、光ディスク、光磁気ディスク、または半導体メモリ等のリムーバブル記録媒体９２７に記録されている情報を読み出して、ＲＡＭ９０５に出力する。また、ドライブ９２１は、装着されているリムーバブル記録媒体９２７に楽曲データなどを書き込むことも可能である。
【０１４１】
接続ポート９２３は、例えば、ＵＳＢポート、光オーディオ端子、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ポート等の、外部接続機器９２９に直接接続するためのポートである。この接続ポート９２３に外部接続機器９２９を接続することで、携帯型音楽プレーヤ１００は、外部接続機器９２９から音楽データ、画像データ、動画データなどを取得したり、外部接続機器９２９に各種データを転送したりすることができる。
【０１４２】
以上、本発明の各実施形態に係る携帯型音楽プレーヤ１００の機能を実現可能なハードウェア構成の一例を示した。上記の各構成要素は、汎用的な部材を用いて構成されていてもよいし、各構成要素の機能に特化したハードウェアにより構成されていてもよい。従って、本実施形態を実施する時々の技術レベルに応じて、適宜、利用するハードウェア構成を変更することが可能である。
【０１４３】
（８．まとめ）
以上説明したように、本実施形態に係る携帯型音楽プレーヤ１００は、１つのホールド状態切替スイッチ１０８を備え、ユーザによるホールド状態切替スイッチ１０８の操作に応じて３つのホールド状態を切り替えることができる。また、ホールド状態切替スイッチ１０８を、同一ポジションで少なくとも２つのホールド状態に切り替えることが可能な構成とすることにより、携帯型音楽プレーヤ１００は、ユーザによる操作なしでホールド状態を自動で切り替えることもできる。また、ホールド機能が切り替えられた際、各ホールド状態に対応してタッチパネル１０２の表示を変更することにより、ユーザに現在のホールド状態を明確に認識させることもできる。また、タッチパネル１０２に表示中のコンテンツの内容に応じてホールド状態の表示画面を変更させることにより、ユーザのタッチパネル１０２の使用時の快適性を向上させることもできる。
【０１４４】
すなわち、本実施形態に係る携帯型音楽プレーヤ１００は、１つのホールド状態切替スイッチ１０８により、タッチパネル１０２およびコンテンツ制御ボタン１０４のホールド状態を選択的に切り換えることができ、ユーザビリティを高めることが可能である。
【０１４５】
以上、添付図面を参照しながら本発明の好適な実施形態について詳細に説明したが、本発明は係る例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１４６】
例えば、上記実施形態では、携帯情報端末の一例として携帯型音楽プレーヤ１００を例に説明したが、本発明は係る例に限定されない。携帯情報端末は、タッチパネル機能と、所定のコンテンツを再生可能な機能と、該コンテンツの再生に関する操作ボタンを備えるものであれば、例えば、携帯電話、ＰＤＡ、携帯型ゲーム機、デジタルカメラ、デジタルビデオカメラなどであってもよい。
【０１４７】
また、上記変形例２および変形例３では、メニュー画面を表示させる場合および電源を再起動した場合にホールド状態を自動で切り替える処理について説明したが、本発明は係る例に限定されない。すなわち、上記変形例２および変形例３は、ホールド状態切替スイッチ１０８が、同一のポジションに固定された状態で少なくとも２つのホールド状態を切り替えることが可能なように構成される点を利用するものである。したがって、同様の構成を有するホールド状態切替スイッチ１０８を有する場合、上記メニュー画面表示時および電源再起動時に限らず、所定の処理実行時に自動でホールド状態を切り替えることも可能である。
【０１４８】
また、本明細書において、フロー図に記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。例えば、各フロー図に示したホールド状態の判断処理は、必ずしもフロー図に示した順番で行われる必要はない。
【図面の簡単な説明】
【０１４９】
【図１】本発明の実施形態の１つに係る携帯型音楽プレーヤ１００の外観正面図の一例を示す説明図である。
【図２】同実施形態に係る携帯型音楽プレーヤ１００の外観上面図の一例を示す説明図である。
【図３】同実施形態に係る携帯型音楽プレーヤ１００の外観側面図の一例を示す説明図である。
【図４】同実施形態に係る携帯型音楽プレーヤ１００の外観背面図の一例を示す説明図である。
【図５】同実施形態に係る携帯型音楽プレーヤ１００の機能構成の一例を示すブロック図である。
【図６】同実施形態において、ホールド状態切替スイッチ１０８が摺動された際のポジションと、該ポジションに対応するホールド状態との関係を表す概念図である。
【図７】同実施形態において、各ホールド状態におけるタッチパネル１０２およびコンテンツ制御ボタン１０４の機能の有効／無効の関係を示す説明図である。
【図８】同実施形態において、ユーザがホールド状態切替スイッチ１０８を操作した際のホールド状態の切替処理の流れの一例を示すフロー図である。
【図９】同実施形態において、ユーザがタッチパネル１０２に表示される所定のＧＵＩボタンに触れた際の処理の流れの一例を示すフロー図である。
【図１０】同実施形態において、ユーザがコンテンツ制御ボタン１０４を押した際の処理の流れの一例を示すフロー図である。
【図１１】変形例１において、ホールド状態切替スイッチ１０８が摺動された際のポジションと、該ポジションに対応するホールド状態との関係を表す概念図である。
【図１２】変形例１において、各ホールド状態におけるタッチパネル１０２およびコンテンツ制御ボタン１０４の機能の有効／無効の関係を示す説明図である。
【図１３】タッチパネル１０２へのメニュー画面の表示例を示す説明図である。
【図１４】変形例２において、ユーザがタッチパネル表示ボタン１０６を押した際の処理の流れの一例を示すフロー図である。
【図１５】変形例３において、ユーザが携帯型音楽プレーヤ１００の電源を再投入した際の処理の流れの一例を示すフロー図である。
【図１６】変形例４において、ホールド状態が変更された際のタッチパネル１０２の表示例を示す説明図である。
【図１７】変形例４において、図１６に示したブラインド画像の表示方法の一例を示す説明図である。
【図１８】本発明の実施形態の１つに係る携帯型音楽プレーヤ１００のハードウェア構成の一例を示す説明図である。
【符号の説明】
【０１５０】
１００    携帯型音楽プレーヤ
１０２    タッチパネル
１０４    コンテンツ制御ボタン
１０６    タッチパネル表示ボタン
１０８    ホールド状態切替スイッチ
１２０    タッチパネル操作指示入力部
１２２    コンテンツ制御指示入力部
１２４    タッチパネル表示指示入力部
１２６    ホールド状態切替指示入力部
１２８    ホールド状態切替制御部
１３０    処理実行部
１３２    タッチパネル表示制御部
【図１】
2010108010.tif 000003
【図２】
2010108010.tif 000004
【図３】
2010108010.tif 000005
【図４】
2010108010.tif 000006
【図５】
2010108010.tif 000007
【図６】
2010108010.tif 000008
【図７】
2010108010.tif 000009
【図８】
2010108010.tif 000010
【図９】
2010108010.tif 000011
【図１０】
2010108010.tif 000012
【図１１】
2010108010.tif 000013
【図１２】
2010108010.tif 000014
【図１３】
2010108010.tif 000015
【図１４】
2010108010.tif 000016
【図１５】
2010108010.tif 000017
【図１６】
2010108010.tif 000018
【図１７】
2010108010.tif 000019
【図１８】
2010108010.tif 000020